(57)【要約】【課題】ユーザーの撮影熟練度や撮影情報に対する知識度等に応じた適切な表示仕様で撮影関連情報を表示する。【解決手段】  表示スタイル処理を行って、「００ 情報表示のみ」「０１ ベーシック」「０２ メカニック」「０３ グラフィック」・・・を表示させる（ステップＳ２）。ユーザーが、これらのいずれかを選択すると、次の表示要素を表示させる（ステップＳ３）。以下同様にして、前のステップの表示要素における表示態様のいずれかが選択される毎に、次の表示要素とその表示態様を表示する。このようにして仕様設定が終了すると、例えば「カスタム１」にステップＳ２〜Ｓ１３で選択された表示要素の表示態様が仕様データとして登録される。そして、撮影に際して電子ファインダーには、「カスタム１」で登録された複数の表示態様で構成される表示仕様で撮影関連情報を表示する。【選択図】    図５
2005348196.tif 000002
【特許請求の範囲】
【請求項１】
表示手段と、
この表示手段に表示される撮影に関連する情報の表示仕様を構成する複数の表示要素を設定する設定手段と、
この設定手段により設定された複数の表示要素で構成される表示仕様で、前記表示手段に撮影に関連する情報を表示させる表示制御手段と
を備えることを特徴とするカメラ装置。
【請求項２】
前記設定手段は、複数の表示要素からの選択により前記複数の表示要素を設定することを特徴とする請求項１記載のカメラ装置。
【請求項３】
前記表示要素は、当該表示要素毎に設けられた複数の異なる表示態様を含み、
前記表示要素毎の複数の表示態様からいずれかを選択する表示態様選択手段を更に備え、
前記表示制御手段は、前記表示態様選択手段により選択された表示態様の表示要素で構成される表示仕様で、前記表示手段に撮影に関連する情報を表示させることを特徴とする請求項１または２記載のカメラ装置。
【請求項４】
前記表示手段は、撮像手段より撮像される被写体像を表示するファインダー表示部であることを特徴とする請求項１、２または３記載のカメラ装置。
【請求項５】
前記表示要素毎に設けられた複数の異なる表示態様を記憶した表示態様記憶手段を有し、
前記表示態様選択手段は、操作に応じて前記表示態様記憶手段から表示要素毎にいずれかの表示態様を選択することを特徴とする請求項３記載のカメラ装置。
【請求項６】
前記表示態様選択手段により選択された表示態様の表示要素で構成される表示仕様を記憶する表示仕様記憶手段と、
この表示仕様記憶手段に記憶されたいずれかの表示仕様を選択する表示仕様選択手段を更に備え、
前記表示制御手段は、前記表示仕様選択手段により選択された表示仕様で、前記表示手段に撮影に関連する情報を表示させることを特徴とする請求項３記載のカメラ装置。
【請求項７】
前記表示制御手段は、前記撮像手段より撮像されたレイヤー１の被写体像スルー画像と、前記表示仕様を構成する表示要素におけるフレームやグリッド、照準などのレイヤー２の背景画像と、絞りやシャッター速度などの撮影情報のレイヤー３の表示画像とを重畳して、前記ファインダー表示部に前記撮影に関連する情報と被写体像とを表示させることを特徴とする請求項４記載のカメラ装置。
【請求項８】
前記表示要素は、複数の撮影条件値の関係を図式で表示するものを含むことを特徴とする請求項１から４にいずれか記載のカメラ装置。
【請求項９】
前記表示態様は、当該表示要素を表示しない表示態様を含むことを特徴とする請求項３記載のカメラ装置。
【請求項１０】
前記表示要素は、固定指針に対して目盛側を回転表示することにより、所定の値を示するものを含むことを特徴とする請求項１から４にいずれか記載のカメラ装置。
【請求項１１】
前記表示要素は、固定指針に対してユーザーが設定した値に対応する可動指針を表示し、固定指針に対する可動指針の傾きにより、前記ユーザーが設定した値を表示する態様を含むことを特徴とする請求項請求項１から４にいずれか記載のカメラ装置。
【請求項１２】
前記表示要素は、ユーザーの操作に連動する情報を含むことを特徴とする請求項１から４にいずれか記載のカメラ装置。
【請求項１３】
表示手段を有するカメラ装置における撮影関連情報の表示方法であって、
前記表示手段に表示される撮影に関連する情報の表示仕様を構成する複数の表示要素を設定する設定工程と、
この設定工程により設定された複数の表示要素で構成される表示仕様で、前記表示手段に撮影に関連する情報を表示させる表示制御工程と
を含むことを特徴とする撮影関連情報の表示方法。
【請求項１４】
表示手段を備えるカメラ装置が有するコンピュータを、
前記表示手段に表示される撮影に関連する情報の表示仕様を構成する複数の表示要素を設定する設定手段と、
この設定手段により設定された複数の表示要素で構成される表示仕様で、前記表示手段に撮影に関連する情報を表示させる表示制御手段と
して機能させることを特徴とする撮影関連情報表示制御プログラム。
【発明の詳細な説明】
【技術分野】
【０００１】
本発明は、カメラ装置、撮影関連情報の表示方法および撮影関連情報表示制御プログラムに関する。
【背景技術】
【０００２】
従来、各種撮影情報を表示する機能を備えたカメラ装置として、下記特許文献１〜５に記載のものが公知である。
特許文献１；入力された撮影条件に適合した仕様のレンズを検索して選択可能に表示し、選択したレンズの仕様に基づいて撮影条件（距離、被写体の大きさ、絞り、画面サイズ等）を計算して表示する。
特許文献２；選択された露出制御プログラムの絞り値に対するシャッター速度の組合せをプログラム線図としてドット表示し、測光結果に基づいて選択された絞り値とシャッター速度の組合せに対するドットを表示する。
特許文献３；被写体の距離Ｄ、撮影レンズの焦点距離および絞り値の変数を用いて計算上の被写界深度ｄを求め、被写界深度ｄを被写体距離Ｄで割った値ｄ／Ｄをセグメント表示する。
特許文献４；一つの被写体の距離、絞り値および焦点距離を定めると、被写界深度を演算し、他の被写体がその被写界深度にあるか否かを表示体の点灯や点滅で表示する。
特許文献５；ズームレンズの焦点距離と、測距距離と、絞り値から被写界深度を計算し、ファインダー内の視野外にバー表示する。
【特許文献１】特許第３３７１２７９号公報
【特許文献２】特公平６−５２３６７号公報
【特許文献３】特許第２５９４４５４号公報
【特許文献４】特開平５−２３２３７１号公報
【特許文献５】特開平８−２２０４１９号公報
【発明の開示】
【発明が解決しようとする課題】
【０００３】
しかしながら、従来の撮影情報を表示する機能を備えたカメラ装置にあっては、表示する撮影情報に相違はあるものの、予め定められた所定の情報を所定の表示態様で表示する。これに対し、当該カメラ装置を使用するユーザーにあっては、プロカメラマンのように極めて高い撮影熟練度や撮影情報に対する知識度を有する者や、ビギナーカメラマンのように撮影熟練度や撮影情報に対する知識度が低い者等の、様々なレベルの者が存在する。したがって、予め定められた所定の情報を所定の表示態様で表示する従来のカメラ装置では、撮影熟練度や撮影情報に対する知識度が異なるユーザーにとって適切となる撮影関連情報を表示することができるものではなかった。
【０００４】
本発明は、かかる従来の課題に鑑みてなされたものであり、ユーザーの撮影熟練度や撮影情報に対する知識度等に応じた適切な表示仕様で撮影関連情報を表示することのできるカメラ装置を提供することを目的とする。
【課題を解決するための手段】
【０００５】
前記課題を解決するため請求項１記載の発明にかかるカメラ装置にあっては、表示手段と、この表示手段に表示される撮影に関連する情報の表示仕様を構成する複数の表示要素を設定する設定手段と、この設定手段により設定された複数の表示要素で構成される表示仕様で、前記表示手段に撮影に関連する情報を表示させる表示制御手段とを備える。
【０００６】
したがって、ユーザーはこのカメラ装置を使用するに際して、自己の撮影熟練度や撮影情報に対する知識度に応じて、予め設定手段により表示手段に表示させる撮影に関連する情報の表示仕様を構成する複数の表示要素を設定する。すると、表示制御手段が設定手段により設定された複数の表示要素で構成される表示仕様で、前記表示手段に撮影に関連する情報を表示させる。したがって、ユーザーは、自己の撮影熟練度や撮影情報に対する知識度に応じて、撮影に関連する情報の表示仕様をカスタマイズできる。
【０００７】
また、請求項２記載の発明にかかるカメラ装置にあっては、前記設定手段は、複数の表示要素からの選択により前記複数の表示要素を設定する。したがって、ユーザーはこのカメラ装置を使用するに際して、自己の撮影熟練度や撮影情報に対する知識度に応じて、予め設定手段により表示手段に表示させる撮影に関連する情報の表示仕様を構成する表示要素を選択する。すると、表示制御手段が設定手段により選択された複数の表示要素で構成される表示仕様で、前記表示手段に撮影に関連する情報を表示させる。したがって、ユーザーは、自己の撮影熟練度や撮影情報に対する知識度に応じて、撮影に関連する情報の表示仕様をカスタマイズできる。
【０００８】
また、請求項３記載の発明にかかるカメラ装置にあっては、前記表示要素は、前記表示要素毎に設けられた複数の異なる表示態様を含み、前記表示要素毎の複数の表示態様からいずれかを選択する表示態様選択手段を更に備え、前記表示制御手段は、前記表示態様選択手段により選択された表示態様の表示要素で構成される表示仕様で、前記表示手段に撮影に関連する情報を表示させる。
【０００９】
したがって、ユーザーはこのカメラ装置を使用するに際して、自己の撮影熟練度や撮影情報に対する知識度に応じて、予め表示態様選択手段により、表示手段に表示させる撮影に関連する情報の表示仕様を構成する表示要素毎に表示態様を選択する。すると、表示制御手段が表示態様選択手段により選択された複数の表示要素の表示態様で構成される表示仕様で前記表示手段に撮影に関連する情報を表示させる。これにより、表示手段には当該ユーザーの自己の撮影熟練度や撮影情報に対する知識度に応じた複数の表示要素の表示態様からなる仕様で、カスタマイズされた撮影に関連する情報が表示されることとなる。
【００１０】
また、請求項４記載の発明にかかるカメラ装置にあっては、前記表示手段は、撮像手段より撮像される被写体像を表示するファインダー表示部である。したがって、被写体像を表示するファインダー表示部を有効利用して、撮影に関連する情報を表示することができるとともに、ユーザーは被写体像を視認しつつ撮影に関連する情報も視認することができる。
【００１１】
また、請求項５記載の発明にかかるカメラ装置にあっては、前記表示要素毎に設けられた複数の異なる表示態様を記憶した表示態様記憶手段を有し、前記表示態様選択手段は、操作に応じて前記表示態様記憶手段から表示要素毎にいずれかの表示態様を選択する。したがって、当該カメラ装置の表示態様記憶手段に予め記憶されている表示態様からの選択により、当該カメラ装置における撮影に関連する情報の表示仕様をプロ用、ビギナー用等のいずれにもすることが可能となる。これにより、単一種のカメラ装置にプロからビギナーまでの汎用性を持たせることが可能となる。
【００１２】
また、請求項６記載の発明にかかるカメラ装置にあっては、前記表示態様選択手段により選択された表示態様の表示要素で構成される表示仕様を記憶する表示仕様記憶手段と、この表示仕様記憶手段に記憶されたいずれかの表示仕様を選択する表示仕様選択手段を更に備え、前記表示制御手段は、前記表示仕様選択手段により選択された表示仕様で、前記表示手段に撮影に関連する情報を表示させる。したがって、ユーザーは、予め選択した複数の表示態様の表示要素で構成される表示仕様を表示仕様記憶手段に記憶させておけば、この表示仕様記憶手段から表示仕様を選択する簡単な操作により、カスタマイズされた表示仕様で撮影に関連する情報の表示させることができる。
【００１３】
また、請求項７記載の発明にかかるカメラ装置にあっては、前記表示制御手段は、前記撮像手段より撮像されたレイヤー１の被写体像スルー画像と、前記表示仕様を構成する表示要素におけるフレームやグリッド、照準などのレイヤー２の背景画像と、絞りやシャッター速度などの撮影情報のレイヤー３の表示画像とを重畳して、前記ファインダー表示部に前記撮影に関連する情報と被写体像とを表示させる。したがって、これらレイヤー１〜３の画像の重畳により、カスタマイズされた表示仕様で撮影に関連する情報の表示させることができる。
【００１４】
また、請求項８記載の発明にかかるカメラ装置にあっては、前記表示要素は、複数の撮影条件値の関係を図式で表示するものを含む。したがって、図式表示により複数の撮影条件値の関係を解りやすく表示することが可能な表示仕様とすることができる。
【００１５】
また、請求項９記載の発明にかかるカメラ装置にあっては、前記表示態様は、当該表示要素を表示しない表示態様を含む。したがって、当該表示要素の表示態様を選択する際に、表示しない表示態様を選択することにより、当該表示要素のない表示仕様とすることができる。
【００１６】
また、請求項１０記載の発明にかかるカメラ装置にあっては、前記表示要素は、固定指針に対して目盛側を回転表示することにより、所定の値を示すするものを含む。したがって、固定指針を注視していれば、視線移動をせずに同一の視線で目盛側の数値を読み取ることが可能な表示仕様とすることができる。
【００１７】
また、請求項１１記載の発明にかかるカメラ装置にあっては、前記表示要素は、固定指針に対してユーザーが設定した値に対応する可動指針を表示し、固定指針に対する可動指針の傾きにより、前記ユーザーが設定した値を表示する態様を含む。したがって、固定指針に対する可動指針の傾きにより、ユーザーが設定した値を容易に読み取ることが可能な表示仕様とすることができる。
【００１８】
また、請求項１２記載の発明にかかるカメラ装置にあっては、前記表示要素は、ユーザーの操作に連動する情報を含む。したがって、ユーザーは連動する換算情報を視認しつつ、操作を行うことが可能な表示仕様とすることができる。
【００１９】
また、請求項１３記載の発明にあっては、表示手段を有するカメラ装置における撮影関連情報の表示方法であって、前記表示手段に表示される撮影に関連する情報の表示仕様を構成する複数の表示要素を設定する設定工程と、この設定工程により設定された複数の表示要素で構成される表示仕様で、前記表示手段に撮影に関連する情報を表示させる表示制御工程とを含む。したがって、記載した工程に従って処理を実行することにより、請求項１記載の発明と同様の作用効果を奏する。
【００２０】
また、請求項１４記載の発明にかかる撮影関連情報表示制御プログラムにあっては、表示手段を備えるカメラ装置が有するコンピュータを、前記表示手段に表示される撮影に関連する情報の表示仕様を構成する複数の表示要素を設定する設定手段と、この設定手段により設定された複数の表示要素で構成される表示仕様で、前記表示手段に撮影に関連する情報を表示させる表示制御手段として機能させる。したがって、前記コンピュータがこのプログラムに従って処理を実行することにより、請求項１記載の発明と同様の作用効果を奏する。
【発明の効果】
【００２１】
以上のように本発明によれば、ユーザーが予め表示手段に表示させる撮影に関連する情報の表示仕様を構成する複数の表示要素を設定することにより、設定された表示要素で構成された表示仕様で表示手段に撮影に関連する情報を表示させることができる。よって、ユーザーは撮影熟練度や撮影情報に対する知識度等に応じて表示仕様をカスタマイズし、適切な複数の表示要素で構成された適切な表示仕様で撮影に関連する情報を表示することが可能となる。
【発明を実施するための最良の形態】
【００２２】
以下、本発明の一実施の形態を図に従って説明する。
（第1の実施の形態）
図１は本発明の第１の形態に係るデジタルカメラ１の正面図、図２は平面図、図３は背面図である。このデジタルカメラ１の本体２には、図１に示すようにその前面に、撮像レンズ３、測光部４、ファインダー５、マイク６、ストロボ部７および測距センサー部８が設けられている。撮像レンズ３は標準レンズと望遠レンズとに交換可能である。また、上面には図２に示すように、電源ＯＮ／ＯＦＦキー９、シャッターキー１０およびズームレバー１１が設けられている。さらに、背面には図３に示すように、メモリカード電池交換蓋１２、ＤＩＳＰキー１３、ＰｒｅＶｉｅｗキー１４、セルフタイマーキー１５、カーソルキー１６、ＳＥＴキー１７、ＭＥＮＵキー１８、モードダイアル１９、絞りキー２０、シャッター速度キー２１、光学ファインダー２２、ヒストグラム表示ＯＮキー２３、データ表示ＯＮキー２４、電子ファインダー消灯キー２５および電子ファインダー２６が設けられている。そして、モードダイアル１９の操作により後述するフローチャートに示す各種モードが設定され、各種モードが設定されている状態でカーソルキー１６とＳＥＴキー１７が操作されることにより、当該モードにおける選択肢の選択が可能となる。また、電子ファインダー２６は、ＬＣＤパネルからなり、記録された静止画および動画を再生表示するモニタとしての機能も兼用する。
【００２３】
図４は、デジタルカメラ１の回路構成を示すブロック図である。図に示すように、前記シャッターキー１０は、半押し時点と全押し時点とで夫々オンとなる２段スイッチ２７に連係され、前記ズームレバー１１はこれを操作している間のみオンとなる常開スイッチ２８の上部に配置されている。その他の入力操作部２９は、シャッターキー１０とズームレバー１１以外の前記図１〜図３に示した各種キーに対応するスイッチ群で構成され、座標時入力部２９１は座標を入力するための複数のキーで構成されている。そして、このスイッチ群および前記各スイッチのオン・オフ情報は、入力回路３０を介して、制御回路３１に入力される。
【００２４】
制御回路３１は、ＣＰＵおよびその周辺回路と、後述するフローチャートに示すプログラムやデジタルカメラとして機能するに必要なプログラム等が格納されているＲＯＭ、ＣＰＵの作業用メモリであるＲＡＭ等から構成されるマイクロコンピュータであり、各部を制御する。なお、制御回路３１のＲＡＭは、ＣＰＵの作業用メモリとして用いられるのみならず、フローチャートに基づいて後述するように、ユーザーが外部装置から入力したファインダー表示仕様データの記憶手段としても用いられる。
【００２５】
この制御回路３１には、表示メモリ３２、表示駆動ブロック３３、画像バッファメモリ３４、画像信号処理部３５、圧縮符号化／伸長復号化部３６、静止画／動画画像メモリ３７、外部メモリインタフェース３８、外部Ｉ／Ｏインターフェース３９、電源制御ブロック４０およびカスタムデータメモリ６９が接続されている。表示メモリ３２には、電子ファインダー２６に表示される各種表示データが一時的に記憶される。表示駆動ブロック３３は、前記ＬＣＤパネルからなる電子ファインダー２６を駆動し、画像バッファメモリ３４は、画像データを処理する際等において一時的に格納する。
【００２６】
画像信号処理部３５は、後述する撮像素子から制御回路２３が取り込んだ画像信号に対する各種処理を実行するＤＳＰからなる。圧縮符号化／伸長復号化部３６は、この画像信号処理部で処理された画像データを記録時には伸長処理し、記録した画像データを再生する際には伸長復号化する。静止画／動画画像メモリ３７は、シャッターキー１０の操作により撮像された画像データ（静止画データ、動画データ）を記録保存する。外部メモリインタフェース３８は、着脱自在な外部メモリ４１に接続されている。外部Ｉ／Ｏインターフェース３９は、ＬＡＮ通信ＩＦ４２を介してＬＡＮコネクタ４３に接続され、ＵＳＢ通信ＩＦ４４を介してＵＳＢコネクタ４５に接続されているとともに、コネクタ４６に接続されている。電源制御ブロック４０には、電池４７と充電制御ブロック４８とが接続されており、これら電池４７と充電制御ブロック４８からの電力は電源制御ブロック４０および制御回路３１を介して各部に供給される。
【００２７】
さらに、制御回路３１には、表示駆動ブロック４９、焦点制御ブロック５０、ズーム制御ブロック５１、絞り制御ブロック５２、シャッター制御ブロック５３、信号処理部５４１、タイミング制御＆ドライバ５５、色温度検出ブロック５６１、測光部５６、測距部５７、およびフラッシュ制御ブロック５８が接続されている。表示駆動ブロック４９は、前記光学ファインダー２２から視認可能な位置に配置され透光性を有する情報表示部５９を駆動する。焦点制御ブロック５０は、被写体像を合焦させるべく撮像レンズ３を駆動するレンズ駆動ブロック６０を制御し、ズーム制御ブロック５１は、ズームレバー１１の操作に応じて被写体像を拡大または縮小すべく撮像レンズ３を駆動するレンズ駆動ブロック６１を制御する。
【００２８】
絞り制御ブロック５２は、撮像レンズ３と撮像素子６４との間に配置された絞り６２を制御し、シャッター制御ブロック５３は、絞り６２と撮像素子６４との間に配置されたシャッター６３を制御する。信号処理部５４１は、オートホワイトバランス制御ブロック５４２、Ａ／Ｄ回路５４、ＣＤＳ／ＡＧＣ６５を介して撮像素子６４より入力されるアナログ画像信号をデジタル信号に変換する。タイミング制御＆ドライバ５５は、タイミング信号を発生してＣＣＤからなる撮像素子６４とＣＤＳ／ＡＧＣ６５とを駆動する。ＣＤＳ／ＡＧＣ６５は、撮像素子６４から出力された撮像信号を保持するＣＤＳと、ＣＤＳから撮像信号を供給されるアナログアンプであるゲイン調整アンプ（ＡＧＣ）とからなる。
【００２９】
色温度検出ブロック５６１は前記測光部４と測距センサー部８との各々配置された測光、測距センサ６６からの出力信号に基づき、被写体像の色温度を検出する。測光部５６は、測光、測距センサ６６からの測光信号を処理して制御回路３１に入力し、測距部５７は測距信号を処理して制御回路３１に入力する。フラッシュ制御ブロック５８は、フラッシュ／ストロボ６８を駆動するフラッシュ駆動ブロック６７を制御し、フラッシュ／ストロボ６８は前記ストロボ部７内に配置されている。
【００３０】
一方、ＡＣアダプタ５００は、ＡＣ電源に接続されるプラグ５０１、整流回路５０２、平滑回路５０３、安定化回路５０４およびこの安定化回路５０４に接続されたＤＣ入力コネクタ５０４を有し、ＤＣ入力コネクタ５０４は前記充電制御ブロック４８に着脱自在である。つまり、電池４７は充電可能であって、ＤＣ入力コネクタ５０４を充電制御ブロック４８に接続することにより、電源制御ブロック４０を介して電池４７に充電がなされるように構成されている。
【００３１】
また、記憶手段としての前記カスタムデータメモリ６９には、図５に示したように、「表示スタイル」、「フレーム枠の色、柄、画像合成」、「配色」、「照準表示」、「グリッド（構図線）表示」・・・「絞り・Ｓ速度」、「露出、ＥＶ補正」、「スポット測光値」、「画角・距離目盛」、「被写界深度」、「色温度・色度座標」、「輝度ヒストグラム」・・・等の表示要素が記憶されているとともに、表示要素毎に異なる表示態様「００」「０１」「０２」「０３」・・・が記憶されている。前記表示要素は電子ファインダー２６に表示させる撮影に関連する情報の表示仕様を構成するものであり、表示態様は各表示要素の選択肢である。つまり、例えば表示要素「表示スタイル」に対応して、その表示態様である「００ 情報表示のみ」「０１ ベーシック」「０２ メカニック」「０３ グラフィック」・・・のデータが記憶されており、表示要素として「表示スタイル」を設定する場合、これら表示態様として「００情報表示のみ」「０１ベーシック」「０２メカニック」「０３グラフィック」・・・のいずれかを選択することが可能である。また、各表示態様のデータは、当該表示態様で対応する表示要素を電子ファインダー２６に表示させるための画像データやプログラムである。
【００３２】
以上の構成に係る本実施の形態において、制御回路３１は、後述する図６のフローチャートにおけるステップＳ１１０における新規ファンダーの仕様を入力する処理を前記プログラムに基づき、図５（Ａ）に示すフローチャートに従って実行する。先ず、ファインダー仕様名称処理を行って、電子ファインダー２６に同図（Ｂ）に示す「カスタム１」「カスタム２」「カスタム３」・・・を表示させる（ステップＳ１）。ユーザーが、カーソルキー１６とＳＥＴキー１７との操作により、これらのいずれかを選択すると、表示スタイル処理を行って、「００ 情報表示のみ」「０１ ベーシック」「０２ メカニック」「０３ グラフィック」・・・を表示させる（ステップＳ２）。
【００３３】
ユーザーが、これらのいずれかを選択すると、フレームの色、柄、画像合成処理を行って、「００ 透明」「０１ 単色塗りつぶし」「０２ パターン塗りつぶし」「０３ 画像０１／０２／０３」・・・を表示させる（ステップＳ３）。ユーザーが、これらのいずれかを選択すると、配色処理を行って、「００ モノトーン」「０１ ベーシック」「０２ パステル」「０３ シック」・・・を表示させる（ステップＳ４）。ユーザーが、これらのいずれかを選択すると、標準表示処理を行って、「００ 表示しない」「０１ 十字」「０２ 四角」「０３ 円形」・・・を表示させる（ステップＳ５）。ユーザーが、これらのいずれかを選択すると、グリッド（構図線）表示処理を行って、「００ 表示しない」「０１ 目盛」「０２ 方眼」「０３ ３分割円形」・・・を表示させる（ステップＳ６）。以下同様にして、前のステップの表示要素における選択肢（表示態様）のいずれかが選択される毎に、次の表示要素とその表示態様を表示する（ステップＳ６〜Ｓ１３）。
【００３４】
そして、このようにして仕様設定が終了すると、後述する図６のフローにおけるステップＳ１１１の処理で、「カスタム１」「カスタム２」「カスタム３」・・・毎にステップＳ２〜Ｓ１３で選択された表示要素の表示態様が前記ＲＡＭに仕様データとして登録されることとなる。したがって、ＲＡＭには、「カスタム１」の仕様として、例えば下記の仕様が記憶される。
【００３５】
ファインダー仕様名称；カスタム１
表示スタイル；０１ ベーシック
フレーム枠の色、柄、画像合成；０２ パターン塗りつぶし
配色；０３ シック
照準表示；０２ 四角
グリッド（構図線）表示；０１ 目盛
・
・
絞り・Ｓ速度；０２ 仕様２
露出・ＥＶ補正；００ 表示しない
スポット測光値；０１ ポイント表示
画角・距離目盛；０１ 画角表示（度）
被写界深度；０３ 合焦距離＋グラフ
色温度・色度座標；００ 表示しない
輝度ヒストグラム；０２ ＲＧＢ別（重畳）
・
・
【００３６】
無論、「カスタム２」「カスタム３」・・・に関しても、同様に仕様を登録しておくことができる。なお、これらカスタム毎の仕様データは、仕様毎の仕様設定ファイルでＲＡＭに登録される。
【００３７】
そして、制御回路３１は前記プログラムに基づき、図６および図７に示す一連のフローチャートに従って処理を実行する。先ず、前記モードダイアル１９の操作により撮影モードが設定されているか否かを判断する（ステップＳ１０１）。撮影モードが設定されていない場合には、さらに設定モードが設定されたか否かを判断し（ステップＳ１０２）、撮影モードと設定モードのいずれも設定されていない場合には、通信モードが設定されているか否かを判断し（ステップＳ１０３）、通信モードも設定されてない場合には、その他のモード処理を実行する（ステップＳ１０４）。
【００３８】
また、ステップＳ１０２での判断の結果、設定モードが設定されたならば、さらにカーソルキー１６とＳＥＴキー１７との操作により、利用ファインダーの設定が選択されたか否かを判断する（ステップＳ１０５）。利用ファインダーの設定が選択された場合には、利用するファインダーの表示仕様選択メニューを電子ファインダー２６に表示する（ステップＳ１０６）。
【００３９】
すなわち、本実施の形態においては、後述するように「プロ仕様」「ビギナー仕様」「カスタム仕様」等の各表示仕様で電子ファインダー２６に撮影情報を表示することが可能である。したがって、このステップＳ１０５では、これら「プロ仕様」「ビギナー仕様」「カスタム仕様」の表示選択メニューを表示する。引き続き、ユーザーの操作（カーソルキー１６とＳＥＴキー１７の操作）に従い、内蔵（「プロ仕様」「ビギナー仕様」）または登録済仕様（「カスタム仕様」）の中から利用するファインダー仕様、表示様式等を選択してＲＡＭに記憶させることにより、利用するファインダーの仕様を設定する（ステップＳ１０７）。
【００４０】
また、ステップＳ１０５での判断の結果、利用ファインダーの設定でない場合には、ファインダーのカスタム仕様の登録であるか否かを判断する（ステップＳ１０８）。ファインダーのカスタム仕様の登録である場合には、カスタム仕様の登録メニューを表示する（ステップＳ１０９）。しかる後に、前述の図５に示したフローチャートに従って、新規ファンダーの仕様を入力する処理を行い、または外部入力を行う（ステップＳ１１０）。外部入力は、ユーザーがＵＳＢコネクタ４５に外部機器を接続させると、ＵＳＢ通信ＩＦ４４および外部Ｉ／Ｏインターフェース３９を介して、新規ファインダー仕様、外部入力仕様を入力させる。
【００４１】
そして、次のステップＳ１１１で、図５に示したフローチャートに従った処理で入力された「カスタム１」「カスタム２」「カスタム３」・・・の仕様や、外部入力された新規ファインダー仕様をカスタム仕様データとして制御回路３１のＲＡＭに登録する（ステップＳ１１１）。なお、ステップＳ１０８での判断の結果、ファインダーのカスタム仕様の登録でない場合には、その他の設定処理を行う（ステップＳ１１２）。
【００４２】
また、ステップＳ１０３での判断の結果、通信モードである場合にはＬＡＮコネクタ４３、ＬＡＮ通信ＩＦ４２、外部Ｉ／Ｏインターフェース３９を介して、外部機器と通信接続する（ステップＳ１１３）。次に、外部機器からデータを受信可能か否かを判断し（ステップＳ１１４）、受信可能であるならば外部機器からデータを受信する（ステップＳ１１５）。さらに、外部機器から仕様設定データを受信したか否かを判断し（ステップＳ１１６）、受信したデータが仕様設定データであるならば、この受信した仕様設定データをカスタム仕様データとして制御回路３１のＲＡＭに登録する（ステップＳ１１７）。
【００４３】
一方、ステップＳ１０１での判断の結果、撮影モードが設定されている場合には、測光処理、ＷＢ処理（ステップＳ１１８）、ＡＦ、ズーム処理（ステップＳ１１９）を実行した後、電子ファインダー消灯キー２５が操作されて電子ファインダー２６の消灯が指示されたか否かを判断する（ステップＳ１２０）。消灯が指示された場合には、電子ファインダー２６の表示を消灯し（ステップＳ１２１）、これにより図８（Ｅ）に示すように、電子ファインダー２６は表示なしの状態となる。したがって、この場合ユーザーは、光学ファインダー２２で被写体を視認しつつ撮影を行うこととなる。
【００４４】
また、電子ファインダー２６の消灯が指示されなかった場合には、カスタムファインダー表示が選択されたか否かを判断する（図７ステップＳ１２２）。カスタムファインダー表示が選択された場合には、撮像素子６４上に結像されている被写体像を撮像スルー画像として電子ファインダー２６に表示させた後（ステップＳ１２３）、前述のステップＳ１０７で利用するファインダーの仕様として設定された該当ファインダーの表示様式など仕様データを読み出す（ステップＳ１２４）。さらに、この読み出したユーザーが予め設定した仕様が「プロ仕様」「ビギナー仕様」「他のカスタム仕様」のいずれであるかを判断する（ステップＳ１２５、Ｓ１２７、Ｓ１２９）。
【００４５】
そして、「プロ仕様」である場合には（ステップＳ１２５；ＹＥＳ）、絞り、Ｓ速度（シャッター速度）など撮影データや設定情報を所定のプロ仕様の表示様式で、スルー画像とともに電子ファインダー２６に表示する（ステップＳ１２６）。このステップＳ１２６での処理により、図８（Ｂ）に例示するように、電子ファインダー２６にはスルー画像Ｐとともに、プロ仕様で撮影データや設定情報（本例は、露出設定のグラフ表示）が表示されることとなる。
【００４６】
また、ユーザーが予め設定した仕様が「ビギナー仕様」である場合には（ステップＳ１２７；ＹＥＳ）、撮影データや設定情報を所定のビギナー仕様の表示様式で、撮像スルー画像とともに電子ファインダー２６に表示する（ステップＳ１２８）。また、ユーザーが予め設定した仕様が「他のカスタム仕様」である場合には（ステップＳ１２９；ＹＥＳ）、撮影データや設定情報を、ユーザーが選択したカスタム仕様（「カスタム１」「カスタム２」等のうちのいずれか）で、スルー画像とともに電子ファインダー２６に表示する（ステップＳ１３０）。このステップＳ１３０での処理により、図８（Ｂ）に例示したように、電子ファインダー２６にはスルー画像Ｐとともに、例えば「カスタム１」に対応するカスタム仕様で撮影データや設定情報（本例は、露出設定のグラフ表示を含む）が表示されることとなる。なお、このステップＳ１３０の処理については、後述する図１０のフローチャートにおいて詳述する。
【００４７】
他方、ステップＳ１２２での判断でカスタムファインダー表示が選択されていない場合、つまり一般ファインダー表示が選択されている場合には、撮像スルー画像を電子ファインダー２６に表示させた後（ステップＳ１３１）、データ表示ＯＮキー２４の操作によるデータ表示ＯＮが指示がなされたか否かを判断する（ステップＳ１３２）。データ表示ＯＮ指示がない場合には、ステップＳ１３３〜Ｓ１３５の処理を行うことなく、ステップＳ１３６に進む。したがって、この場合には、図８（Ｄ）に示すように、電子ファインダー２６には撮影データ表示等がなされず、スルー画像Ｐのみが表示されることとなる。
【００４８】
しかし、データ表示ＯＮキー２４の操作によるデータ表示ＯＮが指示がなされた場合には、撮影条件などの撮影データや設定情報をスルー画像とともに表示する（ステップＳ１１３３）。このステップＳ１３３での処理により、図８（Ａ）に例示したように、電子ファインダー２６にはスルー画像Ｐとともに、通常のファインダー表示（データ表示付きのファインダー表示）がなされることとなる。
【００４９】
引き続き、ヒストグラム表示ＯＮキー２３の操作によるヒストグラム表示ＯＮが指示がなされたか否かを判断する（ステップＳ１２４）。ヒストグラム表示ＯＮが指示された場合には、画像の輝度分布をヒストグラムとして表示する（ステップＳ１３５）。このこのステップＳ１３５での処理により、図８（Ｃ）に例示したように、電子ファインダー２６にはスルー画像Ｐとともに、ヒストグラム＋データ表示付きのファインダー表示がなされることとなる。
【００５０】
なお、本実施の形態においてはこのように、予めユーザーにより設定された仕様で撮影データや設定情報を表示するようにしたが、図８に示したように、ＤＩＳＰキー１３に対するワンタッチ操作に応じて、
（Ａ）通常のファインダー表示：データ表示付きのファインダー表示
（Ｂ）プロ仕様／カスタム仕様のファインダー表示
（Ｃ）ヒストグラム＋データ表示付きのファインダー表示
（Ｄ）データ表示無しのファインダースルー画像のみ表示
（Ｅ）電子表示なし（消灯）
と順次表示切り替えを行うようにしてもよい。
【００５１】
他方、ステップＳ１３６では、シャッターキー１０が全押しされて撮影指示がなされたか否かを判断する（ステップＳ１３６）。撮影指示がなされない場合には、絞りキー２０またはシャッター速度キー２１が操作されたか否かを判断する（ステップＳ１３７）。操作された場合には、ユーザー操作に従い、絞り／速度（シャッター速度）の設定値を変更する（ステップＳ１３８）。
【００５２】
すなわち、図９に例示するように、ビギナー仕様またはカスタム仕様のファインダ表示（絞り優先ＡＥ）が（１Ｂ）であるとし、この（１Ｂ）の状態で絞りキー２０が操作された場合には、（１Ｃ）に示すように、絞り値を変更するとともに、「絞っているので、広い範囲にピントが合います。背景にも被写体にもピントを合わせる撮影に適しています。」なるアドバイス情報を表示するとともに、サンプル画像ＳＰを表示する。また、ビギナー仕様またはカスタム仕様のファインダ表示（速度優先ＡＥ）が（２Ｂ）であるとし、この（２Ｂ）の状態でシャッター速度キー２１が操作された場合には、（２Ｃ）に示すように、シャッター速度を変更するとともに、「シャッタースピードを速くすると、動きのある被写体を静止させて撮影するのに適しています。」なるアドバイス情報を表示するとともに、サンプル画像ＳＰを表示する。さらに、ビギナー仕様またはカスタム仕様のファインダ表示（マニュアル露出）が（３Ｂ）であるとし、この（３Ｂ）の状態で絞りキー２０とシャッター速度キー２１が操作された場合には、（３Ｃ）に示すように、絞り値とシャッター速度を変更するとともに、「絞っているので、広い範囲にピントが合います。背景にも被写体にもピントを合わせる撮影に適しています。」なるアドバイス情報を表示するとともに、サンプル画像ＳＰを表示する。
【００５３】
また、ステップＳ１３７での判断で、絞りキー２０またはシャッター速度キー２１が操作されなかった場合には、ファインダ切替キーとしてのＳＥＴキー１７が操作されたか否かを判断する（ステップＳ１３９）。ファインダ切替キー（ＳＥＴキー１７）が操作された場合には、利用ファインダーの中で、ファインダー表示を切り替える（ステップＳ１４０）。
【００５４】
したがって、ビギナー仕様またはカスタム仕様のファインダ表示（絞り優先ＡＥ）が（１Ｂ）であるとし、この（１Ｂ）の状態でＳＥＴキー１７が操作された場合には、（１）に示す表示状態となり、また、ＳＥＴキー１７の操作毎に（１）と（１Ｂ）の表示とが切り替わる。また、ビギナー仕様またはカスタム仕様のファインダ表示（速度優先ＡＥ）が（２Ｂ）であるとし、この（２Ｂ）の状態でＳＥＴキー１７が操作された場合には、（２）に示す表示状態となり、また、ＳＥＴキー１７の操作毎に（２）と（２Ｂ）の表示とが切り替わる。さらに、ビギナー仕様またはカスタム仕様のファインダ表示（マニュアル露出）が（３Ｂ）であるとし、この（３Ｂ）の状態でＳＥＴキー１７が操作された場合には、（３）に示す表示状態となり、また、ＳＥＴキー１７の操作毎に（３）と（３Ｂ）の表示とが切り替わる。
【００５５】
また、ステップＳ１３９での判断の結果、ファインダ切替キーとしてのＳＥＴキー１７が操作されなかった場合には、モードダイアル１９が操作されたか否を判断する（ステップＳ１４１）。操作された場合には、各モードなど、撮影モードを切り替える（ステップＳ１４２）。したがって、このステップＳ１３７での処理により、図９に示したように、（１）絞り優先ＡＥの撮影モード（Ａ）
（２）速度優先ＡＥの撮影モード（Ｓ）
（３）マニュアル露出設定の撮影モード（Ｍ）
と切り替わることとなる。
【００５６】
一方、前記ステップＳ１３６で、シャッターキー１０が全押しされて撮影指示がなされたと判断された場合には、測光、ＷＢ処理（ステップＳ１３８）、設定撮影条件での撮影処理（ステップＳ１３９）により、シャッターキー１０が全押し操作に伴って撮像素子６４から画像バッファメモリ３４に取り込まれた撮像画像に対する処理を行う。また、撮影レビュー表示がＯＮとなっているか否かを判断し（ステップＳ１４６）、ＯＮとなっている場合には、クイックレビュー画像を表示させる（ステップＳ１４７）。引き続き、前記撮像画像を符号化し、画像データとして画像メモリ３７または外部メモリ４１に記録する（ステップＳ１４８）。さらに、その他のキー処理、および表示処理を実行した後（ステップＳ１４９）、図６のステップＳ１０１に戻る。
【００５７】
図１０は、図７のフローにおけるステップＳ１３０の処理の詳細を示すフローチャートである。すなわち、電子ファインダー２６に表示させるカスタム仕様の設定ファイルをＲＡＭから読み込む（ステップＳ２０１）。次に、仕様設定ファイルから各仕様設定データを復号解析する（ステップＳ２０２）。なお、この仕様設定ファイルの仕様設定データの詳細については後述する。
【００５８】
さらに、撮像素子６４上に結像されている被写体像を連続撮像した被写体像のスルー画像を取り込み、仕様設定データに従い画面（電子ファインダー２６）の設定位置に表示する（ステップＳ２０３）。また、読み込んだ設定データが情報表示ありの仕様か否かを判断し（ステップＳ２０４）、情報表示ありの仕様である場合には、フレーム枠の設定仕様データがあるか否かを判断する（ステップＳ２０５）。フレーム枠の設定仕様データがある場合には、そのが透明枠か否かを判断し（ステップＳ２０６）、透明枠でない場合には色柄で枠内を塗りつぶしの表示形態であるか否かを判断する（ステップＳ２０７）。塗りつぶしの表示形態である場合には、仕様設定データに従い指定スタイルと指定色のフレーム枠を電子ファインダー２６に描画するとともに（ステップＳ２０８）、フレーム枠内を指定の色柄やパターンで塗りつぶして描画する（ステップＳ２０９）。
【００５９】
また、ステップＳ２０７での判断の結果、色柄で枠内を塗りつぶしでない場合には、画像との切り抜き合成枠か否かを判断し（ステップＳ２１０）、切り抜き合成枠でない場合には、仕様設定データに従い、その他のフレーム枠を描画する（ステップＳ２１４）。切り抜き合成枠である場合には、仕様設定データに指定の画像を取り込み（ステップＳ２１１）、設定画像を指定形状に切り抜き抽出する（ステップＳ２）。しかる後に、抽出形状の画像と指定のフレーム枠とを合成して描画する（ステップＳ２１３）。一方、前記ステップＳ２０５で透明枠であると判断された場合には、仕様設定データに従い、指定スタイルと指定色のフレーム枠を描画する（ステップＳ２１５）。
【００６０】
引き続き、グリッドや照準の設定仕様データがあるか否かを判断し（ステップＳ２１６）、ある場合には仕様設定された仕様のグリッドや照準を描く（ステップＳ２１７）。また、撮影情報の仕様設定データがあるか否かを判断し（ステップＳ２１８）、ある場合には撮影条件や焦点距離などの撮影データを取り込み（ステップＳ２１９）、仕様設定データに従い絞りやＳ速度、距離などの撮影情報を、設定された仕様で描画する（ステップＳ２２０）。さらに、付加情報の仕様設定データがあるか否かを判断し（ステップＳ２２１）、ある場合には仕様設定データに従い、ヒストグラムや色度座標など付加情報を指定仕様で描画する（ステップＳ２２２）。そして、最終的には前記スルー画像に重ねて、以上のフレーム枠や撮影情報、付加情報の描画画像を電子ファインダー２６に表示する（ステップＳ２２３）。
【００６１】
したがって、このフローチャートに従った処理により、図１１に示すように、被写体のスルー画像の画像データ６０１（レイヤー１）に、グリッド線６０２、フレーム（額線）６０３および照準６０４を有するフレーム枠やグリッドの表示データ６０５（レイヤー２）を重ね、さらにＩＳＯ感度６０６、絞り（Ｆ値）６０７、シャッター速度（露出時間）６０８、露出補正６０９、焦点距離／換算距離６１０、ヒストグラム６１１を有する撮影情報の表示データ６１２（レイヤー３）を重ねたファインダーの表示画面６１４が電子ファインダー２６に表示されることとなる。
【００６２】
あるいは、図１２に示すように、元画像（レイヤー２ａ）６１５とフレーム切り抜きパターン（レイヤー２ｂ）６１６とを合成して、切り抜き合成したフレーム画像（レイヤー２ｃ）６１７を生成し、この切り抜き合成したフレーム画像６１７を用いてフレーム枠やグリッドの表示データ６０５（レイヤー２）を生成し、これに被写体のスルー画像の画像データ６０１（レイヤー１）と撮影情報の表示データ６１２（レイヤー３）とを重ねたファインダーの表示画面６１４が電子ファインダー２６に表示されることとなる。
【００６３】
図１３〜１５は、前記図６のフローにおけるステップＳ１１１の処理により仕様設定ファイルでＲＡＭに登録される仕様設定データの詳細を示す図である。図１３は仕様設定データの構成例を示し、図１４（Ａ）はＸＭＬ等のマークアップ言語や使用記述言語に従って、タグ付きのテキスト情報ファイルで、仕様設定ファイルや仕様設定プログラムを簡易に設定する例を示し、同図（Ｂ）は色パレットのデータ例を示す。図１５（Ａ）は、ファインダーの各表示部の表示領域は表示位置などの詳細もカスタム指定して設定した例を示し、同図（Ｂ）は図（Ａ）のデータに対応する表示位置を示す。
【００６４】
なお、通常仕様のファインダー表示や、プロ仕様、カスタム仕様のファインダー表示は、前述の図８に示したものに限らず、図１６に示した通常仕様のファインダー表示（Ａ）、プロ仕様のファインダー表示例（Ｂ）、同心円状の絞り、Ｓ速度表示、円形照準・・・等を設定したユーザーカスタム仕様の表示例１（Ｃ）、絞り、Ｓ速度表示なし、色度座標
＋色度図、３分割グリッド、四角照準・・・等に設定されたユーザーカスタム仕様の表示例２（Ｄ）であってもよい。
【００６５】
また、フローチャートにおいては省略したが、各種モード切り換えやメニュー選択に際して図１７に示した各種画面を電子ファインダー２６に表示させる。すなわち、ＭＥＮＵからの選択操作に応じて、（ａ）撮影メニュー表示画面→（ａ１）ファインダー表示選択画面→（ａ２）ファインダー表示の選択メニュー画面（ａ２）と遷移させる。また、（ａ）撮影メニュー表示画面からの選択操作に応じて、（ｂ）再生メニュー表示画面→（ｃ）設定メニュー表示画面→（ｃ１）ファインダー仕様設定選択画面→（ｃ２）ファインダー仕様設定メニュー（１）画面→（ｃ３）ファインダー仕様設定メニュー（２）画面→（ｃ４）Ｆ絞り・Ｓ速度表示の設定メニュー画面と遷移させる。
【００６６】
図１８および図１９は、露出条件などの撮影条件の設定および制御手順を示す一連のフローチャートである。先ず、前記モードダイアル１９の操作により撮影モードが設定されているか否かを判断する（ステップＳ２０１）。撮影モードが設定されていない場合には、その他のモードに移行する（ステップＳ２０２）。
【００６７】
また、撮影モードが設定されている場合には、レンズ駆動ブロック６０、６１、撮像素子６４を含む撮像部を初期設定し、測光、測距センサ６６を含む測光部、測距部を起動するとともに、フラッシュ駆動ブロック６７の充電を起動させる（ステップＳ２０３）。さらに、測光処理、ＷＢ設定処理（ステップＳ２０４）、測距処理（ステップＳ２０５）、オートフォーカス、ズーム処理（ステップＳ２０６）を実行した後、モードダイアル１９の操作により絞り優先ＡＥが設定されているか否かを判断する（ステップＳ２０７）。設定されている場合には、ＭＥＮＵキー１８等の操作によりユーザーが入力した絞り値Ｆ（またはＡｖ値）を設定する（ステップＳ２０８）。さらに、測光した必要露出量ＥＶと設定絞り値Ａｖを元に最適なＴｖ値（Ｔｖ＝ＥＶ−Ａｖ等）に対応するシャッター速度Ｔに設定する（ステップＳ２０９）。
【００６８】
また、ステップＳ２０７での判断の結果、絞り優先ＡＥでない場合には、シャッター速度優先ＡＥであるか否かを判断する（ステップＳ２１０）。シャッター速度優先ＡＥである場合には、ユーザーが入力したシャッター速度Ｔ（またはＴｖ値）を設定する（ステップＳ２１１）。さらに、必要露出量ＥＶと設定シャッター速度Ｔｖを元に最適なＡｖ値（Ａｖ＝ＥＶ−Ｔｖ等）に対応する絞り値Ｆに設定する（ステップＳ２１２）。
【００６９】
また、ステップＳ２１０での判断の結果、シャッター速度優先ＡＥでない場合には、被写界深度優先ＡＥであるか否かを判断する（ステップＳ２１３）。被写界深度優先ＡＥである場合には、ユーザーが入力した被写界深度幅Ｚまたは被写界深度限界近点、遠点（Ｌｍｉｎ，Ｌｍａｘ）を設定する（ステップＳ２１４）。さらに、焦点距離ｆ、撮影距離Ｌ、設定被写界深度Ｚまたは近点、遠点に近い被写界深度を実現する絞りＦを算出し（ステップＳ２１５）、必要露出量ＥＶと求めた絞り値Ｆとから最適なシャッター速度Ｔに設定する（Ｔｖ＝ＥＶ−Ａｖ）（ステップＳ２１６）。さらに、電子ファインダー２６に設定条件による被写界深度または近点、遠点、合焦距離範囲等を表示する（ステップＳ２１７）。
【００７０】
また、ステップＳ２１３での判断の結果、被写界深度優先ＡＥでない場合には、マニュアル露出であるか否かを判断する（ステップＳ２１８）。マニュアル露出である場合には、ユーザーが入力した絞り値Ｆ（またはＡｖ値を）を設定し（ステップＳ２１９）、さらに、入力したシャッター速度Ｔ（またはＴｖ値）を設定し（ステップＳ２２０）、必要露出量ＥＶとの過不足（ＥＶ−（Ａｖ＋ＴＶ））等を算出して表示する（ステップＳ２２１）。
【００７１】
また、ステップＳ２１８での判断の結果、マニュアル露出でない場合には、プログラムＡＥまたはベストショットであるか否かを判断する（ステップＳ２２２）。プログラムＡＥまたはベストショットである場合には、該当プログラムＰを設定し（ステップＳ２２３）、プログラムＰの内容またはプログラム線図等を電子ファインダー２６に表示する（ステップＳ２２４）。引き続き、測光した露出量ＥＶと設定プログラムまたは線図を元に、絞り値とシャッター速度との組合せ、その他の撮影条件をＡｖ＝ＰＡ（ＥＶ）、Ｔｖ＝ＰＴ（ＥＶ）等により自動設定する（ステップＳ２２５）。
【００７２】
他方、図１８のフローチャートに続く図１９のフローチャートにおけるステップＳ２２６では、±露出補正があるか否かを判断し、±露出補正がある場合には、ユーザーが入力した±露出補正に従い、絞り値Ｆまたはシャッター速度Ｔ等を補正設定する。次に、予めユーザーにより設定されたファインダー表示仕様がカスタム仕様ファインダーであるか否かを判断する（ステップＳ２２８）。カスタム仕様ファインダーである場合には、絞り、シャッター速度の設定値、および、基準露出量との関係図式グラフ等を、設定様式にて、撮像スルー画像やその他撮影情報とともに電子ファインダー２６に表示する（ステップＳ２２９）。また、カスタム仕様ファインダーではない場合には、絞り、シャッター速度の設定値を一般ファインダーの所定の様式にて、撮像スルー画像やその他撮影情報とともに電子ファインダー２６に表示する（ステップＳ２３０）。
【００７３】
次に、シャッターキー１０が全押しされて撮影指示がなされたか否かを判断する（ステップＳ２３１）。撮影指示がなされない場合には、その他のキー処理、表示処理（ステップＳ２４０）を実行する。また、前記ステップＳ２３１で、シャッターキー１０が全押しされて撮影指示がなされたと判断された場合には、測光、ＷＢ処理を行うとともに（ステップＳ２３２）、測光値と設定撮影条件に従って画像を撮影する（ステップＳ２３３）。このステップＳ２３３での処理により、シャッターキー１０が全押し操作に伴って撮像素子６４から画像バッファメモリ３４に取り込まれた撮像画像に対する処理が実行されて、画像データが画像バッファメモリ３４に一時的に記憶される。
【００７４】
引き続き、撮影レビュー表示がＯＮとなっているか否かを判断し（ステップＳ２３４）、ＯＮとなっている場合には、撮影画像、最後のスルー画像またはピント確認画像を電子ファインダー２６に表示させる（ステップＳ２３５）。また、プレビュー／レビュー・釦が押されたか否かを判断し（ステップＳ２３６）、押された場合には記録全プレビュー画像、または記録後レビュー画像を表示させる（ステップＳ２３７）。そして、撮影した画像データを符号化して画像メモリ３７または外部メモリ４１に記録する（ステップＳ２３９）。
【００７５】
図２０〜図２６は、前記ステップＳ２２１における電子ファインダー２６の表示例を示す図である。図２０に示した表示例１では、絞りやシャッター速度の設定画面で、ユーザーが設定した絞り値の設定値２６１およびシャッター速度の設定値２６２を表示するとともに、シャッター速度の設定値２６２に対応する最適露出の絞り値２６３を表示する。これにより、ユーザーは設定露出値が絞りすぎであるか、露出アンダーであるかを一見して判断することができる。
【００７６】
図２１に示した表示例２は、絞り（Ａｖ）とシャッター速度（Ｔｖ）と露出（ＥＶ）との、Ａｖ＋Ｔｖ＝ＥＶとなる加減算の関係を、積み木ブロックで表示するものであり、絞り値とシャッター速度の組合せにより設定露出量が、必要な露出ＥＶよりも大きいか小さいかを、簡単に比較して設定することできる。
【００７７】
図２２に示した表示例３は、計算尺式の表示例であり、Ｔ（Ｔｖ）のシャッター速度スケール２６４と、ＥＶの露出値スケール２６５とを連結し、これらとは逆順の目盛を振った絞り値スケール２６６をスライドするように表示する。測光値に基づく露出値ＥＶが、絞り値スケール２６６のＦスケールにおいける「△」に合わせて表示されると、絞り値スケール２６６の絞り目盛に対向するシャッター速度スケール２６４の露光時間は、いずれの組合せもＡｖ＋Ｔｖ＝ＥＶの適正な露出条件となるので、その中から所望の設定値の組合せを選んで設定することができる。
【００７８】
図２３に示した表示例４は、測光した露出値ＥＶに対して最適露出条件となるシャッター速度Ｔと絞り値Ｆとの組合せを平行に対向して表示し、設定値同士を結ぶ指針は最適な露出条件では水平（点線）となる。どちらかでの設定値を変えて設定する（実線）と、適正な露出条件でない組合せでは傾いて表示されるので、最適露出との違いが直ぐにわかる。最適露出にしたい場合は、指針２６７が水平になるように操作すればよい。また、＋１．０露出補正する場合には、絞り値Ｆを開放側に１段移動し、指針２６７が１段右上がりに傾くように設定すればよい。この表示例４によれば、設定値間の関係が直感的にわかり、目盛の数値を読み取らなくても、指針２６７の傾きを確認すればわかるので、マニュアル露出等でも、簡単かつ迅速に、誤りなく適正露出を設定することができる。
【００７９】
図２４に示した表示例５は、円周と放射角度と螺旋による交差グラフ表示によるものである。すなわち、極座標や円グラフ、あるいは、メーターのような円状の表示とし、絞り値Ｆは外周から中心方向に増える目盛で、絞る程小さくなる円の径２７１を表し、シャッター速度Ｔは中心から放射状に伸びた指針（シャッター速度線）２６９の角度で表し、最適な露出条件となる露出値ＥＶは、中心から外周に螺旋状に周り、絞りとシャッター速度の目盛の交点を結ぶ螺旋（露出値線）２７３で表す。
【００８０】
図２５に示した表示例６は、±露出補正の表示（ＥＶ補正）をする場合もわかり易く表示する例である。すなわち、カメラ内蔵の露出計や、１８％グレイを基準に測光する反射露出計による測光に基づく露出では、本当に明るいまたは暗い被写体でも、グレイがかって写ってしまう場合があり、白い被写体は白く写るように＋露出補正したり、黒い被写体は黒く写るように−露出補正するなど、標準露出値よりも±３段〜２段くらい、露出オーバーや露出アンダーに補正して撮影する場合がある。そこで本例では、測光値による標準露出値を水平の指針（点線）２７１で表示し、補正した設定値を別の色や異なる指針（実線）２７２で同時に表示するようにしたものである。
【００８１】
図２６に示した表示例７は、目盛回転表示により露出補正表示を行うようにした例である。すなわち、白い被写体は白く写るように＋露出補正したり、黒い被写体は黒く写るように−露出補正するなど、標準露出値よりも±３段〜２段くらい、露出オーバーや露出アンダーに補正して撮影する場合がある。そこで本例では、水平に固定の指針（点線）２７１で表示し、二重の円周上に絞り目盛２７３とシャッター速度目盛３０１とを回転表示する。±ＥＶ露出補正する場合は、±補正方向に傾いた指針（実線）２７２を表示し、これにより露出補正値を読み取ることができる。また、露出設定の表示に加えて、スポット測光した複数の測光値をポイント毎に制御回路３１のＲＡＭに記憶して、最初に測光した基準測光ポイントに基づいて測光値を設定し、かつ、各スポット測光値の基準ポイントとの輝度差ΔＢｖ値（あるいは、それに相当するΔＥＶ値）を、ファインダーの視野のスルー画像Ｐに重ねて、ポイントマークＭと輝度差の数値とで表示するものである。図において、２７３は絞り値目盛、２７６は各ポイントマークＭにおけるスポット測光値、３０１はシャッター目盛、２７８は基準露出値±３．０ＥＶを超えるスポット（白飛びや黒つぶれして写る）、２７９はスポット測光値のメモリリー（基準露出値±３．０以内の範囲が適正に撮影できるとした場合）、２７１は基準露出と絞り、シャッター速度の組合せを示す指針である。したがって、本例によれば、階調よく写せるといわれる「輝度差が、基準ポイントの露出値±約２．５〜３．０ＥＶ以内」のポイントを例えば青（ＯＫ）で表示し、「白飛び」や「黒つぶれ」して写ってしまう「輝度差が、基準ポイントの露出値＋約２．５〜３．０ＥＶを超える、または露出値−約２．５〜３．０ＥＶ未満」のポイントを例えば赤（ＮＧ）で表示することにより、全体が階調よく写るのか、どこが「白飛び」や「黒つぶれ」するのかを容易に判断することができる。
【００８２】
なお、図２６に示した表示例７のスポット測光では、ハイライト部の階調を重視し、白飛びしないように再現する「ハイライト基準露出」で撮影したような場合は、ハイライトで写したい所を最初に基準露出値としてスポット測光し、デジタルカメラ１の本体２に予め設けておいたハイライト基準ボタンを押すか、または、露出設定をダイナミックレンジの＋側８割程度（基準露出＋２．０〜２．５ＥＶ程度）、露出オーバー側に補正して（絞りを２．０〜２．５段開いて）撮影すればよい。逆に、シャドー部の階調を重視して、黒つぶれしないように再現する「シャドー基準露出」で撮影したい場合は、黒っぽく写したい所を基準露出値としてスポット測光し、デジタルカメラ１の本体２に予め設けておいたシャドー基準ボタンを押すか、または、露出設定を−側９割程度に（基準露出値−２．３〜−２．７ＥＶ程度）、露出アンダー側に補正して（絞りを２．３〜２．７段絞って）撮影すればよい。このように、露出補正と同様の操作で、ハイライト基準露出、シャドー基準露出での撮影を行うことができる。
【００８３】
図２７は、画角、画角スケールの表示処理手順を示すフローチャートである。先ず、ズーム処理およびオートフォーカス処理を実行し、ズームレバー１１の操作に応じて被写体像を拡大または縮小すべく撮像レンズ３を駆動するとともに、被写体像を撮像素子６４上に結像させる（ステップＳ３０１）。次に、フォーカス点でのレンズ焦点距離ｆから、撮像素子６４の画像面における横サイズである画像サイズＹ′に相当する画角θを下記式にて算出する（ステップＳ３０２）。
画角θ＝２×ｔａｎ−１（Ｙ′／２ｆ）
【００８４】
次に、画角スケールの目盛単位毎の画角θｉに相当する被写体像サイズや画像位置Ｙ′ｉを下記式にて算出する（ステップＳ３０３）。
Ｙ′＝２ｆ×tan（θｉ／２）
【００８５】
さらに、撮像サイズや撮像位置を表示座標に変換して画角スケールと目盛を描画する（ステップＳ３０４）。このとき、表示座標は下記式で算出する
表示座標＝タテｏｒヨコの表示画素数×画像位置Ｙ′ｉ／画像素子サイズＹ″
【００８６】
そして、画角θ、あるいは、画角目盛単位を、被写体スルー画像とともに電子ファインダー２６に表示する（ステップＳ３０５）。
【００８７】
図２８は、このステップＳ３０５での処理による電子ファインダー２６の表示例を示すものであり、電子ファインダー２６にはスルー画像Ｐとともに、画角スケール２８１、被写体距離２８２、ズーム倍率２８３、焦点距離２８４、被写体長さのスケール２８５、被写体範囲（横）６２１、被写体範囲（縦）６２２、画面一杯の画角６２３を表示させる。  この表示例は、撮像素子６４として約１／２．７型ＣＣＤ（横５．２７×縦３．９５、対角６．５９ｍｍ）と、焦点距離約２０ｍｍのレンズで、橋を約１３００ｍの距離から撮影した例である。このとき、画角θ＝２ｔａｎ−１（Ｙ′／２ｆ）より、視野一杯の画角は、２×ｔａｎ−１（横５．２７／２×２０）＝約１５度となり、図中の円弧状の画角スケール２８１は、それぞれ１０°、５°にそれぞれ相当する。また、このとき、橋までの距離＝約１３００ｍとすると、Ｙ＝Ｙ′×Ｌ／ｆより換算して、視野一杯の被写体範囲Ｙは、１３００ｍ地点では、およそ横３４２ｍ×縦２５６ｍとなり、図のように、縦横の長さや高さに換算して側長用スケールとして表示できる。この例では、橋の高さは水面から約１２０ｍほどであることが確認できる。
【００８８】
図２９は、前記ステップＳ３０４における他の表示例を示すものであり、この表示例においては、前記表示例と同様に、スルー画像Ｐとともに、画角スケール２８１、ズーム倍率２８３、焦点距離２８４を表示させるとともに、露出値（Ｅｖ）６３１、シャッター速度６３２、絞り６３３および画角に相当する距離換算目盛２８７を表示させる。
【００８９】
図３０は、被写体範囲の表示処理手順を示すフローチャートである。先ず、測距処理を行って被写体までの距離Ｌを計測する（ステップＳ４０１）。また、ズーム処理およびオートフォーカス処理を実行し、ズームレバー１１の操作に応じて被写体像を拡大または縮小すべく撮像レンズ３を駆動するとともに、被写体像を撮像素子６４上に結像させる（ステップＳ４０２）。次に、フォーカス点の距離Ｌと焦点距離ｆから、像サイズＹ′に相当する被写体範囲Ｙ（長さ、高さ）を下記式にて換算する。
被写体範囲Ｙ＝Ｙ′×Ｌ／ｆ
あるいは、目盛単位毎の被写体の長さＹｉに相当する像サイズＹ′ｉを下記式にて逆算する（ステップＳ４０３）
逆算Ｙ′ｉ＝Ｙｉ×ｆ／Ｌ
さらに、像サイズ、位置を、表示サイズ、表示座標に変換する（ステップＳ３０４）。次に、被写体範囲Ｙ（長さｏｒ高さ）、または、被写体範囲の側長スケールを、撮像スルー画像とともに電子ファインダー２６に表示する（ステップＳ４０５）。
【００９０】
図３１は、画角、被写体範囲相当の距離の表示処理手順を示すフローチャートである。先ず、ユーザーにより入力された視線またはカメラレンズの高さｈを設定する（ステップＳ５０１）。また、ズーム処理およびオートフォーカス処理を実行し、ズームレバー１１の操作に応じて被写体像を拡大または縮小すべく撮像レンズ３を駆動するとともに、被写体像を撮像素子６４上に結像させる（ステップＳ５０２）。次に、画角θ、視線またはカメラレンズの高さｈから、画角相当の距離Ｌを下記式にて換算する（ステップＳ５０３）。
距離Ｌ＝ｈ／ｔａｎ（θ／２）
【００９１】
また、距離スケール目盛を画面上に順に表示する場合には、高さｈと焦点距離とから、Ｙ′ｉ＝２ｆ×ｈ／Ｌｉ等により、目盛単位毎の距離Ｌｉに相当する像サイズＹ′ｉを逆算する（ステップＳ５０３）。さらに、画角また像サイズを、前記ステップＳ３０３と同様にして、表示サイズ、表示座標に変換する（ステップＳ５０４）。次に、画角または被写体範囲相当の距離、または、距離スケールを、撮像スルー画像とともにに電子ファインダー２６に表示する（ステップＳ５０５）。
【００９２】
図３２は、被写界深度の表示処理手順を示すフローチャートである。デジタルカメラでは、画像サイズがフィルムに比べ小さいので、同じ画角を得る焦点距離が短くなるため、被写界深度が深くなり、焦点ボケは気にならないことも多い。しかし、絞りを開いた時や望遠ズームなどでは、被写界深度が浅くなるので、手ブレだけでなくボケも目立つようになる。また、撮影意図や写真表現として、パン・フォーカスのように、前方から後方まで広い範囲の被写体にピントを合わせたい場合や、逆に、フォーカスした被写体にだけピントを合わせ、前景や背景はぼかしたい場合など、ピント範囲や被写界深度の選択が必要な場合がある。ところが、電子ファインダーでピントが合っているように見えても、細かなピントをファインダーの低解像度のＬＣＤ等で確認するのは難しく、撮影後に拡大表示するか、大型のモニターやプリンタ出力で確認する必要があった。
【００９３】
ここで、被写界深度は下記のようにして求められる。
前方被写界深度Ｔｆ＝δＦＬ２／（ｆ２＋δＦＬ）
後方被写界深度Ｔｒ＝δＦＬ２／（ｆ２−δＦＬ）
被写界深度Ｚ＝Ｔｆ＋Ｔｒ
【００９４】
または、被写界深度を撮像面から被写体までの撮影距離（被写界深度限界）に換算すると、
被写界深度限界近点Ｌｍｉｎ＝Ｌ−Ｔｆ＝ｆ２Ｌ／（ｆ２＋δＦＬ）
被写界深度限界遠点Ｌｍａｘ＝Ｌ＋Ｔｆ＝ｆ２Ｌ／（ｆ２−δＦＬ）
但し、ｆ；焦点距離、Ｌ；撮影距離、δ；許容錯乱円直径
（許容錯乱円直径δは、３５ｍｍフィルムで３０〜５０μｍ、１／３型ＣＣＤ〜１／２型ＣＣＤで１５〜２０μｍ程度）
【００９５】
そして、本実施の形態は、前記式を用いて被写界深度の表示処理を行うものであり、先ず測光処理を行う（ステップＳ６０１）。次に、絞りＦ、シャッター速度Ｔなどの撮影条件を設定し（ステップＳ６０２）、測距処理を行って被写体まで距離である被写体距離Ｌを得る（ステップＳ６０３）。また、ズーム処理およびオートフォーカス処理を実行し、ズームレバー１１の操作に応じて被写体像を拡大または縮小すべく撮像レンズ３を駆動するとともに、被写体像を撮像素子６４上に結像させる（ステップＳ６０４）。次に、レンズ焦点距離（ｆ）、測距した被写体距離（Ｌ）を入力させる（ステップＳ６０５）。
【００９６】
次に、被写界深度情報表示の設定があるか否かを判断し（ステップＳ６０６）、設定がない場合にはステップＳ６０７〜Ｓ６１１の処理を実行することなく、このフローに従った処理を終了する。被写界深度情報表示の設定がある場合には、焦点距離（ｆ）、被写体距離（Ｌ）、絞り値（Ｆ）等から、被写界深度（Ｚ）または被写界深度限界近点、遠点（Ｌｍｉｎ、Ｌｍａｘ）を下記式により算出する（ステップＳ６０７）。
【００９７】
Ｌ∞＝ｆ２／δＦ
Ｌｍｉｎ＝ｆ２Ｌ／（ｆ２＋δＦＬ）
Ｌｍａｘ＝ｆ２Ｌ／（ｆ２−δＦＬ）
Ｚ＝Ｌｍａｘ−Ｌｍｉｎ
【００９８】
しかる後に、撮像スルー画像表示に重ねて、被写界深度Ｚまたは被写界深度限界の近点、遠点、合焦距離範囲を、数値、スケール目盛、グラフィック等で電子ファインダー２６に表示する（ステップＳ６０８）。さらに、絞り値（または焦点距離や撮影距離）を現在の設定値より増減した場合の設定値と被写界深度や合焦距離範囲とを同様に、複数点、順次計算する（ステップＳ６０９）。また、絞り値（または焦点距離や撮影距離）と被写界深度や合焦距離範囲との関係グラフを電子ファインダー２６にプロット描画する（ステップＳ６１０）。引き続き、上記描画した関係グラフ上に、現在の絞り値や焦点距離、撮影距離、被写界深度などを設定値の指針として、区別表示する（ステップＳ６１１）。
【００９９】
図３３は、前記ステップＳ６０８〜Ｓ５１１での処理による表示例を示すものである。この表示例は、ｆ＝６ｍｍ、Ｆ２．８、Ｌ＝２ｍ（δ＝０．００５５ｍｍ）のとき、被写界深度Ｚ＝１２．７７ｍ（−０．９２〜＋１１．８５ｍ）、被写界深度限界＝１．０８ｍ〜１３．８５ｍ，過焦点距離Ｌ∞＝２．３４ｍの場合である。図示のように、前記処理により電子ファインダー２６には、スルー画像Ｐとともに、焦点距離（ｆ）と絞り値（Ｆ）２８８、撮影距離目盛２８９、過焦点距離（Ｌ∞）２９０、撮影距離（Ｌ）２９１、被写界深度限界の近点、遠点２９２、絞り値３９３、これら撮影距離目盛２８９〜絞り値３９３までを示す関係グラフ２９４、合焦距離の範囲２９５、Ｌｍａｘ２９６等が表示されることとなる。したがって、現在の絞り値より増減した場合に、被写界深度やピントが合う範囲や過焦点距離がどう変わるのか、また、ピントをさらに前景または背景まで合うように、あるいは、さらにボケるように写すには、絞り値をどのように操作すればよいかを一見してわかり、プロの撮影に寄与することができる。
【０１００】
なお、図示した絞りＦと被写界深度Ｚや合焦距離（Ｌｍｉｎ、Ｌｍａｘ）との関係グラフだけでなく、焦点距離ｆまたは撮影距離Ｌと、被写界深度や合焦距離との関係グラフなど、他の関係グラフを表示したり、切替表示できるようにしてもよい。また、所望の被写界深度Ｚ、あるいは、被写界深度限界近点Ｌｍｉｎ、遠点Ｌｍａｘなど、合焦する範囲や過焦点距離Ｌ∞などを、ユーザーが任意に入力設定し、それを実現する絞り値Ｆ、または、焦点距離ｆ、撮影距離Ｌなどを前記式から逆算して自動設定できるように、被写界深度の設定入力手段や、この設定入力手段により入力された被写界深度に基づく露出制御手段や焦点制御手段を設けるようにしてもよい。
【０１０１】
図３４は、ホワイトバランス制御処理手順を示すフローチャートである。先ず、下記例示式により等色関数を設定する（ステップＳ７０１）。
（例）ｒ￣（λ）ｇ￣（λ）,ｂ￣（λ）
あるいは
ｘ￣（λ）ｙ￣（λ）,ｚ￣（λ）等
【０１０２】
次に、測光処理を行って（ステップＳ７０２）、波長別のエネルギー分布を特定し、エネルギー分布表Ｌ（λｉ）を作成する（ステップＳ７０３）。また、下記例示式を用いて３刺激値Ｒ、Ｇ、Ｂを計算する（ステップＳ７０４）。
（例）Ｒ＝Σｉｒ￣（λｉ）Ｌ（λｉ）
Ｇ＝Σｉｇ￣（λｉ）Ｌ（λｉ）
Ｂ＝Σｉｂ￣（λｉ）Ｌ（λｉ）
さらに、下記例示式を用いて３刺激値から、色座標を決定する（ステップＳ７０５）。
（例）ｒ＝Ｒ／（Ｒ＋Ｇ＋Ｂ）
ｇ＝Ｇ／（Ｒ＋Ｇ＋Ｂ）
ｂ＝Ｂ／（Ｒ＋Ｇ＋Ｂ）
あるいは
ｂ＝１−（ｒ＋ｇ）
【０１０３】
しかる後に、座標変換するか否かを判断し（ステップＳ７０６）、座標変換する場合には下記例示式を用いて、他の表色系や色座標に変換する（ステップＳ７０７）。
（例）Ｒ,Ｇ,Ｂ座標→Ｘ,Ｙ,Ｚ座標
Ｘ,Ｙ,Ｚ座標→ｘ,ｙ,ｚ座標
さらに、色度座標から、相関色温度Ｔａ、および黒体輻射軌跡との偏差Δｕｖ等を求め（ステップＳ７０８）、偏差が許容値以内であるか否かを判断する（ステップＳ７０９）。偏差が許容値を超える場合には、色温度測定のエラー処理を行って、このフローに従った処理を終了する。
【０１０４】
また、偏差が許容値以内である場合には、色温度情報の表示の設定があるか否かを判断し（ステップＳ７１０）、設定がある場合には色温度Ｔａ、あるいは、色度座標（ｘ，ｙ）等をグラフや図式表現で電子ファインダー２６に表示する（ステップＳ７１１）。そして、色温度または色度座標を元に、ホワイトバランスを調整する（ステップＳ７１２）。
【０１０５】
図３５（Ａ）（Ｂ）は、前記ステップＳ７１１での処理による表示例を示すものである。表示例（Ａ）は、ＷＢの設定値とともに分光分布特性グラフ６４１と色温度６４２とを表示し、表示例（Ｂ）は、ＷＢの設定値とともに色座標６４３、色度図６４４、色度座標（指針）６４５を表示するものである。
【０１０６】
なお、本実施の形態においては電子ファインダー２６に前述の各種情報を表示するようにしたが、情報表示部５９に同様の表示を行うようにしてもよく、電子ファインダー２６と情報表示部５９の双方に同様の表示を行うようにしてもよい。
【０１０７】
（第２の実施の形態）
【０１０８】
図３６は、本発明の第２の実施の形態に係るデジタルカメラ７００の要部における回路構成を示すブロック図であり、ファインダー表示のカスタム仕様設定データを、カメラ本体部に着脱式に接続した外部記憶媒体からカメラ本体に入力設定するようにしたものである。
【０１０９】
図に示すように、デジタルカメラ７００は制御部７０１を有しており、この制御部７０１には、操作入力ブロック７０２、各機能の制御部７０３、表示仕様の制御ブロック７０４、カスタム仕様の入力ブロック７０５、カスタム仕様の設定制御ブロック７０６、外部メモリ制御ブロック７０７が設けられている。操作入力ブロック７０２とカスタム仕様の入力ブロック７０５には、入力回路７０８を介して操作入力部７０９よりユーザーの操作入力情報が入力される。表示仕様の制御ブロック７０４は、電子ファインダー７１２の表示動作を制御する表示制御ブロック７１１に接続されている。
【０１１０】
カスタム仕様設定メモリ７１３は、カスタム仕様設定データを記憶するものであり、前記カスタム仕様の設定制御ブロック７０６は、このカスタム仕様設定メモリ７１３へのデータの書き込みおよび読み出しを行う。前記各機能の制御部７０３は、当該デジタルカメラ７００が有する各種機能を制御するものである。前記外部メモリ制御ブロック７０７は、カード−ＩＦ７１４を介してコネクタ７１５に接続され、コネクタ７１５に着脱自在に装着される着脱式メモリ媒体７５０からのデータ読み込みを制御する。着脱式メモリ媒体７５０には、電子ファインダー７１２にカスタム仕様での表示を行うに必要な画像データ７５１、機器仕様データ７５２、表示仕様の設定データ７５３が予め記憶されている。
【０１１１】
以上の構成に係る本実施の形態において、着脱式メモリ媒体７５０をコネクタ７１５に接続させると、外部メモリ制御ブロック７０７は着脱式メモリ媒体７５０から記憶データを読み取り、カスタム仕様の設定制御ブロック７０６はこの読み取ったデータをカスタム仕様設定メモリ７１３に登録する。しかる後に、ユーザーは着脱式メモリ媒体７５０をコネクタ７１５から取り外して、このデジタルカメラ７００の使用を開始する。すると、カスタム仕様の設定制御ブロック７０６は、カスタム仕様設定メモリ７１３に登録されているカスタム仕様設定データを読み出して、表示仕様の制御ブロック７０４に送出し、表示仕様の制御ブロック７０４はこのカスタム仕様設定データに基づき、表示制御ブロック７１１を制御する。これにより、電子ファインダー７１２には、カスタム仕様設定メモリ７１３に登録されているカスタム仕様で撮影に関連する情報が表示される。
【０１１２】
したがって、ユーザーはカメラ本体部でカスタム仕様の設定入力操作を行わなくても、パソコン等外部機器で仕様を設定したりプログラムしたカスタム仕様設定データを着脱式メモリ媒体７５０に記録し、その着脱式メモリ媒体７５０をデジタルカメラ７００に接続して、カスタム仕様設定メモリ７１３登録仕様として記録するだけで、前述した第１の実施の形態と同様のファインダー表示を行うことができる。また、エアブラシ的な描画表現や手書き文字などを含む画像など、カメラ内蔵のユーザーインターフェイスや入力手段では設定が困難な表示仕様や詳細な設定も可能となる。
【０１１３】
また、前記第１の実施の形態で説明したカメラ側で入力設定されて登録されているファインダー表示のカスタム仕様設定データを、着脱式メモリ媒体７５０にコピー記録して、他のカメラでも、同じ仕様設定データを用いて同じ表示仕様のファインダーを使用することも可能となる。
【０１１４】
なお、着脱式メモリ媒体７５０は、画像データのメモリ媒体を共用したり、カスタム仕様データを画像データとともに同じ媒体内に記憶したり、あるいは、カスタム仕様データを画像データと対応付けて記録するように構成してもよい。
【０１１５】
また、ユーザー自身が入力や設定、プログラムした仕様設定データでなくとも、カメラメーカーやサードパーティ等から提供される各種の仕様設定データを着脱式メモリ媒体７５０を介してカメラ本体部に入力して、例えば著名なカメラマンや、デザイナー、有名人等が設定あるいはデザインした表示仕様を利用したり、著名なカメラマンや第三者が撮影した画像や、キャラクタ、ロゴ入りの画像のフレームを含むファインダー表示なども容易に行うことができる。
【０１１６】
（第３の実施の形態）
図３７は、本発明の第３の実施の形態を示すシステム構成図であり、表示仕様のカスタム設定データをパソコン等の外部機器やネットワークから入力するようにしたシステム例である。
【０１１７】
図に示すように、デジタルカメラ８００は。着脱式メモリ媒体８２０を装着可能であって、制御部８０１、撮像手段８０２、各種機能手段８０３、操作入力部８０４、ユーザー仕様設定メモリ８０５、外部入力ＩＦ８０６、および無線通信ＩＦ８０７を有し、無線通信ＩＦ８０７にはアンテナ８０８が接続されている。前記着脱式メモリ媒体８２０は、コントローラ８２１とメモリ８２２とを備え、メモリ８２２には画像データ、画像情報、機器仕様データ、仕様のカスタム設定データが記憶される。
【０１１８】
他のカメラ、ＰＣ、プリンター等の外部機器８３０は、同一の前記着脱式メモリ媒体８２０を装着可能であって、制御部８３１、ユーザー仕様設定メモリ８３２、操作入力部８３３、再生機能の制御ブロック８３４、プリント出力ブロック８３５、画像再生出力ブロック８３６等を有している。
【０１１９】
一方、前記外部入力ＩＦ８０６には、ＰＣ等の外部機器８４０に接続され、外部機器８４０はルータ／ＡＤＳＬモデム等８４１、ネットワーク８４２、サーバー８４３を介して仕様設定データのライブラリ８４４に接続される。また、無線通信ＩＦ８０７は、アンテナ８０８、無線基地局／アクセスポイント８４５、中継局８４６、移動体通信ネットワーク８４７、中継局８４８、ネットワーク８４２、サーバー８４３を介して仕様設定データのライブラリ８４４に接続される。ライブラリ８４４には、ファインダー表示用のカスタム仕様設定データや画像データが複数記憶されている。
【０１２０】
以上の構成に係る本実施の形態において、ユーザーは外部機器８３０にて着脱式メモリ媒体８２０に画像データや仕様設定データを記憶させた後、これを外部機器８３０から取り外してデジタルカメラ８００に装着し、着脱式メモリ媒体８２０から画像データや仕様設定データを読み取って、ユーザー仕様設定メモリ８０５に記憶させることができる。また、ＰＣ等の外部機器８４０によりサーバー８４３を介して、ライブラリ８４４から画像データや仕様設定データをダウンロードし、ユーザー仕様設定メモリ８３２に記憶させることができる。さらに、無線基地局／アクセスポイント８４５、中継局８４６・・・サーバー８４３を介してライブラリ８４４にアクセスし、同様にライブラリ８４４から画像データや仕様設定データをダウンロードして、ユーザー仕様設定メモリ８３２に記憶させることができる。
【０１２１】
したがって、前述と同様に、例えば著名なカメラマンや、デザイナー等が設定あるいはデザインした表示仕様を利用したり、著名なカメラマンや第三者が撮影した画像や、キャラクタ、ロゴ入りの画像やデザインのフレームを含むファインダー表示なども、ＣＤＲＯＭ等のメディア媒体やインターネットのサーバー等から、有償または無償でダウンロード受信して、容易に利用することができる。
【０１２２】
（第４の実施の形態）
図３８は、本発明の第４の実施の形態に係るデジタルカメラ９００の要部における回路構成を示すブロック図であり、表示仕様や操作仕様を既存機種に合わせて設定するようにしたものである。
【０１２３】
図に示すように、デジタルカメラ９００は制御部９０１を有しており、この制御部９０１には、操作制御ブロック９０２、各機能の制御部９０３、メニュー制御ブロック９０４、ファインダー制御ブロック９０５、カスタム仕様の設定制御ブロック９０６、外部入力制御ブロック９０７が設けられている。操作制御ブロック９０２とファインダー制御ブロック９０５には、入力回路９０８を介して操作入力部９０９よりユーザーの操作入力情報が入力される。メニュー制御ブロック９０４とファインダー制御ブロック９０５は、電子ファインダー９１２の表示動作を制御する表示制御ブロック９１１に接続されている。
【０１２４】
カスタム仕様設定メモリ９１３は、機種Ａ、機種Ｂ、機種Ｃ・・・と機種毎にカスタム仕様設定データを記憶しており、前記カスタム仕様の設定制御ブロック９０６は、このカスタム仕様設定メモリ９１３へのデータの書き込みおよび読み出しを行う。前記各機能の制御部９０３は、当該デジタルカメラ９００が有する各種機能を制御するものである。前記外部入力制御ブロック９０７は、入出力ＩＦ９１４を介して外部機器、外部メモリ等９５０からのデータを入出力させる。
【０１２５】
以上の構成に係る本実施の形態において、制御部９０１はプログラムに従って動作することにより、図３９（Ａ）に示す選択画面を電子ファインダー９１２に表示させる。この状態で、ユーザーが操作入力部９０９にての操作により「ファインダー表示」を選択すると、同図（Ｂ）または（Ｃ）に示す表示仕様の選択メニュー画面を表示させる。すなわち、表示例（Ｂ）においては、ファインダー表示仕様種別またはカメラ機種名のリスト６５１を表示させる。また、表示例（Ｂ）においてファインダー仕様の種別または機種名６５２と当該カメラの外観画像６５３とを表示させる。
【０１２６】
そして、表示されたメニューからユーザーがカメラ機種Ａ，Ｂ，Ｃ・・・のいずれか選択すると、当該機種に対応するファインダー表示仕様で電子ファインダー９１２に撮影に関連する情報を表示させる。したがって、従来では、各メーカーやカメラ毎の異なる仕様のカメラを使用したり、その操作方法を修得して撮影しなくてはならないが、本実施の形態では、新型の機種に買い換えた場合、カメラの性能や機能は異なっても、操作方法うや表示方法等は、使い慣れた機種の使用とほぼ同じような使用に設定して利用できる。つまり、ユーザーが従来よりカメラ機種Ａを使用しており、カメラ機種Ｃに買い換えた場合、カメラ機種Ｃにおいてカメラ機種Ａのファインダー表示仕様を選択することにより、カメラ機種Ｃの電子ファインダー９１２にカメラ機種Ａのファインダー表示仕様で撮影に関連する情報を表示させることができる。よって、カメラを買い換えた場合であっても、使い慣れた機種と同様のファインダー表示仕様により撮影に関連する情報の視認を容易にして、誤操作を未然み防止することができる。
【０１２７】
また、複数のカメラや異なる機種のカメラを併用するカメラマンにあっても、全てのカメラにおける電子ファインダーのファインダー表示仕様を統一することができる。これにより、カメラを交換しつつ撮影を行った場合における撮影に関連する情報の視認を容易にして、誤操作を未然み防止することができる。
【図面の簡単な説明】
【０１２８】
【図１】本発明第１の実施の形態に係るデジタルカメラの正面図である。
【図２】同デジタルカメラの平面図である。
【図３】同デジタルカメラの背面図である。
【図４】同デジタルカメラの回路構成を示すブロック図である。
【図５】カスタムデータメモリの記憶内容および図６のフローチャートにおけるステップＳ１１０の処理の詳細を示すフローチャートである。
【図６】本実施の形態における処理手順の一部を示すフローチャートである。
【図７】図６のフローチャートに続くフローチャートである。
【図８】本実施の形態における表示遷移図である。
【図９】本実施の形態における他の表示遷移図である。
【図１０】図７のフローにおけるステップＳ１３０の処理の詳細を示すフローチャートである。
【図１１】カスタム仕様のファインダー表示合成処理例を示す図である。
【図１２】カスタム仕様の他のファインダー表示合成処理例を示す図である。
【図１３】仕様設定データの構成例を示す図である。
【図１４】（Ａ）はＸＭＬ等のマークアップ言語や使用記述言語に従って、タグ付きのテキスト情報ファイルで、仕様設定ファイルや仕様設定プログラムを簡易に設定する例を示し、同図（Ｂ）は色パレットのデータ例を示すずである。
【図１５】（Ａ）は、ファインダーの各表示部の表示領域は表示位置などの詳細もカスタム指定して設定した例を示し、（Ｂ）は（Ａ）のデータに対応する表示位置を示す図である。
【図１６】ファインダー表示例を示す図である。
【図１７】各種モード切り換えやメニュー選択に際してのファインダー表示遷移図である。
【図１８】露出条件などの撮影条件の設定および制御手順の一部を示すフローチャートである。
【図１９】図１８のフローチャートに続くフローチャートである。
【図２０】ステップＳ２２１における電子ファインダーの表示例１を示す図である。
【図２１】同表示例２を示す図である。
【図２２】同表示例３を示す図である。
【図２３】同表示例４を示す図である。
【図２４】同表示例５を示す図である。
【図２５】同表示例６を示す図である。
【図２６】同表示例７を示す図である。
【図２７】画角、画角スケールの表示処理手順を示すフローチャートである。
【図２８】ステップＳ３０５での処理による電子ファインダー２６の表示例を示す図である。
【図２９】ステップＳ３０４における他の表示例を示す図である。
【図３０】被写体範囲の表示処理手順を示すフローチャートである。
【図３１】画角、被写体範囲相当の距離の表示処理手順を示すフローチャートである。
【図３２】被写界深度の表示処理手順を示すフローチャートである。
【図３３】ステップＳ６０８〜Ｓ５１１での処理による表示例を示す図である。
【図３４】ホワイトバランス制御処理手順を示すフローチャートである。
【図３５】ステップＳ７１１での処理による表示例を示す図である。
【図３６】本発明の第２の実施の形態に係るデジタルカメラの要部における回路構成を示すブロック図である。
【図３７】本発明の第３の実施の形態を示すシステム構成図である。
【図３８】本発明の第４の実施の形態に係るデジタルカメラの要部における回路構成を示すブロック図である。
【図３９】同実施の形態に係るデジタルカメラの表示遷移図である。
【符号の説明】
【０１２９】
１    デジタルカメラ
２    本体
１０    シャッターキー
１１    ズームレバー
１６    カーソルキー
１７    ＳＥＴキー
２３    ヒストグラム表示ＯＮキー
２３    制御回路
２４    データ表示ＯＮキー
２５    電子ファインダー消灯キー
２６    電子ファインダー
２６４    シャッター速度スケール
２６５    露出値スケール
２６６    値スケール
２６７    指針
２７１    径
２７３    目盛
２８１    画角スケール
２８２    被写体距離
２８３    ズーム倍率
２８４    焦点距離
２８５    スケール
２８７    距離換算目盛
２８９    撮影距離目盛
２９    入力操作部
２９１    座標時入力部
２９２    遠点
２９４    関係グラフ
２９５    範囲
３１    制御回路
３２    表示メモリ
３３    表示駆動ブロック
３４    画像バッファメモリ
３５    画像信号処理部
３６    圧縮符号化／伸長復号化部
３７    静止画／動画画像メモリ
３８    外部メモリインタフェース
４    測光部
４１    外部メモリ
４２    ＬＡＮ通信ＩＦ
４３    ＬＡＮコネクタ
４４    ＵＳＢ通信ＩＦ
４５    ＵＳＢコネクタ
４６    コネクタ
５６    測光部
５６１    色温度検出ブロック
５７    測距部
５９    情報表示部
６０１    画像データ
６０２    グリッド線
６０４    照準
６０５    表示データ
６０６    ＩＳＯ感度
６０９    露出補正
６４    撮像素子
６４１    分光分布特性グラフ
６４２    色温度
６４３    色座標
６４４    色度図
６５２    機種名
６５３    外観画像
６６    測距センサ
６９    カスタムデータメモリ
【図１】
2005348196.tif 000003
【図２】
2005348196.tif 000004
【図３】
2005348196.tif 000005
【図４】
2005348196.tif 000006
【図５】
2005348196.tif 000007
【図６】
2005348196.tif 000008
【図７】
2005348196.tif 000009
【図８】
2005348196.tif 000010
【図９】
2005348196.tif 000011
【図１０】
2005348196.tif 000012
【図１１】
2005348196.tif 000013
【図１２】
2005348196.tif 000014
【図１３】
2005348196.tif 000015
【図１４】
2005348196.tif 000016
【図１５】
2005348196.tif 000017
【図１６】
2005348196.tif 000018
【図１７】
2005348196.tif 000019
【図１８】
2005348196.tif 000020
【図１９】
2005348196.tif 000021
【図２０】
2005348196.tif 000022
【図２１】
2005348196.tif 000023
【図２２】
2005348196.tif 000024
【図２３】
2005348196.tif 000025
【図２４】
2005348196.tif 000026
【図２５】
2005348196.tif 000027
【図２６】
2005348196.tif 000028
【図２７】
2005348196.tif 000029
【図２８】
2005348196.tif 000030
【図２９】
2005348196.tif 000031
【図３０】
2005348196.tif 000032
【図３１】
2005348196.tif 000033
【図３２】
2005348196.tif 000034
【図３３】
2005348196.tif 000035
【図３４】
2005348196.tif 000036
【図３５】
2005348196.tif 000037
【図３６】
2005348196.tif 000038
【図３７】
2005348196.tif 000039
【図３８】
2005348196.tif 000040
【図３９】
2005348196.tif 000041